(57)【特許請求の範囲】
【請求項１】
ターミナル本体に締付具を取り付けて構成され、
前記ターミナル本体は、バッテリーの外面から突出するバッテリーポストに外嵌される弧状接続部と、前記弧状接続部の周方向における両端部から延出した複数の弧状締付部とを備え、
前記締付具を前記複数の弧状締付部の間に割り込ませて前記弧状締付部を拡がるように変位させることで、前記弧状接続部が縮径変形するようになっているバッテリーターミナルであって、
前記締付具の前記弧状締付具に対する割り込み方向が、前記弧状接続部を前記バッテリーポストに嵌合する嵌合方向と同方向とされ、
前記締付具が仮保持位置に組み付けられた状態では、前記弧状接続部は前記バッテリポストに対する着脱を許容され、また前記締付具における前記割り込み方向の前端は、前記弧状接続部における前記嵌合方向の前端よりも後方の位置へ退避しており、
前記締付具には、前記割り込み方向後方に面し、前記締付具を前記割り込み方向へ押す操作を可能とした操作面が形成されていることを特徴とするバッテリーターミナル。
【請求項２】
前記締付具が、前記仮保持位置よりも前記割り込み方向前方の締付け位置に組み付けられた状態では、前記弧状接続部は前記バッテリーポストの外周を締付け可能に縮径され、
前記締付具の外周には、前記締付具を前記仮保持位置に保持する仮保持用係止部と、前記締付具を前記締付け位置に保持する締付け用係止部とが形成されていることを特徴とする請求項１記載のバッテリーターミナル。
【請求項３】
前記締付具の外周には、前記複数の弧状締付部を同時に係止させることで前記締付具を前記弧状締付部に対する組付け状態に保持する複数の係止部が形成され、
前記複数の弧状締付部は、その延出方向における全領域に亘って互いに独立した形態とされていることを特徴とする請求項１又は請求項２記載のバッテリーターミナル。
【請求項４】
前記弧状接続部には、前記締付具を前記弧状締付部の間に割り込ませず、且つ前記弧状接続部を前記バッテリーポストに嵌合した状態において、前記バッテリーポストの外周に当接することで前記弧状接続部を抜止めするための抜止片が形成されていることを特徴とする請求項１ないし請求項３のいずれか１項に記載のバッテリーターミナル。
【発明の詳細な説明】
【技術分野】
【０００１】
本発明は、バッテリーターミナルに関するものである。
【背景技術】
【０００２】
特許文献１には、ターミナル本体に締付具を組み付けて構成されるバッテリーターミナルが開示されている。ターミナル本体は、バッテリーポストに外嵌される弧状接続部と、弧状接続部の周方向における両端縁から円弧状に延出した少なくとも２つの弧状締付部とを備えており、弧状締付部を拡径変形させると、弧状接続部が縮径変形するようになっている。締付具は、弧状締付部の間に割り込むように組み付けられ、仮保持位置と、仮保持位置よりも上方の締付け位置との間で弧状接続部の軸線と略平行に移動させるようになっている。バッテリーターミナルをバッテリーポストに接続する際には、まず、締付具を仮保持位置に組み付けておき、その状態で弧状接続部をバッテリーポストに嵌合する。その後、締付具を締付け位置へ移動させて弧状締付部を拡がるように変位させると、弧状接続部が縮径変形してバッテリーポストの外周に接続される。
【先行技術文献】
【特許文献】
【０００３】
【特許文献１】特開平１１−３０７１４５号公報
【発明の概要】
【発明が解決しようとする課題】
【０００４】
上記のバッテリーターミナルにおいて締付具を仮保持した状態では、締付具の下端部がターミナル本体の下端よりも下方へ突出していて、ターミナル本体をバッテリーポストに嵌合したときに締付具の下端がバッテリーの上面と干渉するので、ターミナル本体は、バッテリーの上面から浮き上がった不正な嵌合状態となる。そのため、この状態からターミナル本体を正規の接続位置へ移行させるためには、締付具を締付け位置まで引張り上げながらターミナル本体を下方へ押し下げるか、ターミナル本体を正規の接続位置まで無理矢理押し下げることによって締付具を締付け位置へ変位させることになる。
【０００５】
このように、特許文献１に記載されたバッテリーターミナルは、締付具を締付け位置へ変位させる作業の前に、ターミナル本体を正規の接続位置へ嵌合させておくことができない。そのため、バッテリーポストへの接続の際には、締付具を締付け位置へ変位させる作業と、ターミナル本体を不正な嵌合位置から正規の接続位置へ移動させる作業の２つの作業を同時に行わなければならず、作業性が悪いという問題がある。
【０００６】
本発明は上記のような事情に基づいて完成されたものであって、作業性の向上を図ることを目的とする。
【課題を解決するための手段】
【０００７】
上記の目的を達成するための手段として、請求項１の発明は、ターミナル本体に締付具を取り付けて構成され、前記ターミナル本体は、バッテリーの外面から突出するバッテリーポストに外嵌される弧状接続部と、前記弧状接続部の周方向における両端部から延出した複数の弧状締付部とを備え、前記締付具を前記複数の弧状締付部の間に割り込ませて前記弧状締付部を拡がるように変位させることで、前記弧状接続部が縮径変形するようになっているバッテリーターミナルであって、前記締付具の前記弧状締付具に対する割り込み方向が、前記弧状接続部を前記バッテリーポストに嵌合する嵌合方向と同方向とされ、前記締付具が仮保持位置に組み付けられた状態では、前記弧状接続部は前記バッテリポストに対する着脱を許容され、また前記締付具における前記割り込み方向の前端は、前記弧状接続部における前記嵌合方向の前端よりも後方の位置へ退避しており、前記締付具には、前記割り込み方向後方に面し、前記締付具を前記割り込み方向へ押す操作を可能とした操作面が形成されているところに特徴を有する。
【０００８】
請求項２の発明は、請求項１に記載のものにおいて、前記締付具が、前記仮保持位置よりも前記割り込み方向前方の締付け位置に組み付けられた状態では、前記弧状接続部は前記バッテリーポストの外周を締付け可能に縮径され、前記締付具の外周には、前記締付具を前記仮保持位置に保持する仮保持用係止部と、前記締付具を前記締付け位置に保持する締付け用係止部とが形成されているところに特徴を有する。
【０００９】
請求項３の発明は、請求項１または請求項２に記載のものにおいて、前記締付具の外周には、前記複数の弧状締付部を同時に係止させることで前記締付具を前記弧状締付部に対する組付け状態に保持する複数の係止部が形成され、前記複数の弧状締付部は、その延出方向における全領域に亘って互いに独立した形態とされているところに特徴を有する。
【００１０】
請求項４の発明は、請求項１ないし請求項３のいずれかに記載のものにおいて、前記弧状接続部には、前記締付具を前記弧状締付部の間に割り込ませず、且つ前記弧状接続部を前記バッテリーポストに嵌合した状態において、前記バッテリーポストの外周に当接することで前記弧状接続部を抜止めするための抜止片が形成されているところに特徴を有する。
【発明の効果】
【００１１】
＜請求項１の発明＞
バッテリーターミナルをバッテリーポストに接続する際には、まず、ターミナル本体をバッテリーポストに嵌合し、その後に、操作面を押し操作しながら締付具を弧状締付部の間に割り込ませて弧状締付部を広げることにより、弧状接続部を縮径変形させてバッテリーポストの外周に密着させる。本発明は、締付具に押し操作用の操作面を形成しているので、バッテリーポストに対するターミナル本体の嵌合方向と、弧状締付部に対する締付具の割り込み方向とを概ね同じ方向とすることが可能であり、このことは、ターミナル本体をバッテリーポストに嵌合するときに締付具がバッテリーの外面と干渉するのを回避できる、ということを意味する。これにより、締付具による弧状締付部への割り込み操作に先だって、ターミナル本体をバッテリーポストに対して正規の接続位置に嵌合しておくことができるので、締付具の割り込み作業を単独で行うことができ、作業性に優れている。
【００１２】
＜請求項２の発明＞
バッテリーターミナルをバッテリーポストに接続する際には、締付具を弧状締付部の仮保持位置に保持した状態で、弧状接続部をバッテリーポストに嵌合し、その後、締付具を仮保持位置から締付け位置へ押し動かせばよい。接続作業の間、締付具とターミナル本体を一体的に取り扱うことができるので、作業性がよい。
【００１３】
＜請求項３の発明＞
複数弧状締付部は、その延出方向における全領域に亘って互いに独立しているので、いずれか１つの弧状締付部が係止部から外れる方向へ変位しても、他の弧状締付部は係止部に係止する状態を保つ。
【００１４】
＜請求項４の発明＞
弧状接続部をバッテリーポストに嵌合すると、抜止片がバッテリーポストの外周に係止して弧状接続部が抜止め状態に保持されるので、その後の締付具を割り込ませる作業を行い易い。
【図面の簡単な説明】
【００１５】
【図１】実施形態１においてバッテリーターミナルをバッテリーポストに接続した状態をあらわす正面図
【図２】締付具を仮保持位置に組み付けるとともに弧状接続部をバッテリーポストに嵌合した状態をあらわす正面図
【図３】ターミナル本体の正面図
【図４】締付具の正面図
【図５】バッテリーターミナルの側面図
【図６】バッテリーターミナルの平面図
【発明を実施するための形態】
【００１６】
＜実施形態１＞
以下、本発明を具体化した実施形態１を図１〜図６を参照して説明する。バッテリーターミナルＴは、バッテリーＢの上面（外面）から略直角に立ち上がるバッテリーポストＰに対して上から嵌合するようにして接続されるものである。バッテリーポストＰは、概ね円柱形であり、詳しくは、上方に向かって次第に縮径した円錐台形状をなしている。バッテリーターミナルＴは、所定形状に打ち抜いた金属板材を曲げ加工することによって形成したターミナル本体１０と、ターミナル本体１０に組み付けられる締付具２０とを備えて構成されている。
【００１７】
図５に示すように、ターミナル本体１０は、弧状接続部１１と、電線圧着部１３と、３つの弧状締付部１５Ａ，１５Ｂ，１５Ｃとを一体に形成したものである。弧状接続部１１は、軸線を上下方向（バッテリーポストＰの軸線と平行に方向）に向けた概ね円筒状をなす。弧状接続部１１の内径は、円錐台形状のバッテリーポストＰの外周と整合するように、上方に向かって次第に小さくなっている。また、弧状接続部１１の周方向における一方の端縁部と他方の端縁部とは、互いに離間している。図６に示すように、弧状接続部１１には、周方向に間隔を空けた３箇所を切り起こすことによって抜止片１２が形成されている。抜止片１２は、上方へ片持ち状に延出するとともに弧状接続部１１の内側へ突出した形態となっている。また、電線圧着部１３は、弧状保持部の下端縁における後端部から後方へ延出したオープンバレル状をなし、この電線圧着部１３には電線１４の端末部が圧着により接続されている。
【００１８】
図１〜３，５に示すように、３つの弧状締付部１５Ａ，１５Ｂ，１５Ｃは、弧状接続部１１の軸線方向（上下方向）に並んでいる。最も上に位置する第１弧状締付部１５Ａと最も下に位置する第３弧状締付部１５Ｃは、弧状接続部１１の左側の端部（平面視において時計回り方向前方側の端部）から斜め右前方へ水平に延出しており、第１弧状締付部１５Ａ及び第３弧状締付部１５Ｃの平面形状は、右側の側面を凹ませた形態の略半円弧形をなしている。中間高さに位置する第２弧状締付部１５Ｂは、弧状接続部１１の右側の端部（平面視において時計回り方向後方側の端部）から斜め左前方へ水平に延出しており、第２弧状締付部１５Ｂの平面形状は、左側の側面を凹ませた形態の略半円弧形をなしている。
【００１９】
平面視（弧状接続部１１の軸線と平行な方向から視た状態）において、第１〜第３弧状締付部１５Ａ，１５Ｂ，１５Ｃは略Ｃ字形をなすように配置され、第１及び第３弧状締付部１５Ａ，１５Ｃの基端部（弧状接続部１１の右側の端部に連なる部分）と、第２弧状締付部１５Ｂの基端部（弧状接続部１１の左側の端部に連なる部分）とが交差している。したがって、第１及び第３弧状締付部１５Ａ，１５Ｃと第２弧状締付部１５Ｂとの間隔が左右方向に拡げられると、弧状接続部１１の周方向における両端部が接近するので、弧状接続部１１が縮径変形するようになっている。
【００２０】
締付具２０は、ターミナル本体１０と同じかそれよりも硬度の高い材料からなり、図１〜３に示すように、全体として軸線を上下方向に向けた略円柱形をなしている。この締付具２０は、ターミナル本体１０に対し、弧状締付部１５Ａ，１５Ｂ，１５Ｃの間に挟まれるように形成された空間に上から割り込むようにして組み付けられるようになっている。締付具２０の上端面（弧状締付部１５Ａ，１５Ｂ，１５Ｃに対する締付具２０の割り込み方向（以下、単に「割り込み方向」という）の後端側の端面）は、締付具２０の軸線方向（割り込み方向）と直角な平面からなり、締付具２０を割り込ませる際に押し操作するための操作面２１となっている。
【００２１】
締付具２０の外周は、上下方向（軸線方向）に並ぶ第１〜第３の３つのテーパ面２２Ａ，２２Ｂ，２２Ｃと、上下に間隔を空けて配置した第１及び第２の係止面２３Ａ，２３Ｂとによって構成されている。第１テーパ面２２Ａ（本発明の構成要件である締付け用係止部、係止部）は最も上に位置し、第２テーパ面２２Ｂ（本発明の構成要件である締付け用係止部、仮保持用係止部、係止部）は中央高さに位置し、第３テーパ面２２Ｃ（本発明の構成要件である締付け用係止部、仮保持用係止部、係止部）は最も下に位置する。これらのテーパ面２２Ａ，２２Ｂ，２２Ｃは、いずれも、締付具２０の軸線方向（割り込み方向と略平行な方向）に対して傾斜しており、下方（割り込み方向前方）に向かって外径が次第に小さくなるように傾斜した曲面である。
【００２２】
第１係止面２３Ａ（本発明の構成要件である締付け用係止部、係止部）は、第１テーパ面２２Ａと第２テーパ面２２Ｂとの段差状の境界部分に位置し、第２係止面２３Ｂ（本発明の構成要件である締付け用係止部、仮保持用係止部、係止部）は、第２テーパ面２２Ｂと第３テーパ面２２Ｃとの段差状の境界部分に位置する。２つの係止面２３Ａ，２３Ｂは、いずれも、締付具２０の軸線方向と略直角な平面であり、上方（割り込み方向後方）に面している。
【００２３】
次に、本実施形態の作用を説明する。バッテリーターミナルＴをバッテリーポストＰに接続する際には、まず、図２に示すように、締付具２０をターミナル本体１０に対して仮保持位置に組み付けておく。締付具２０の組付けは、操作面２１を作業者の指で押して、上から締付具２０を上側の２つの弧状締付部１５Ａ，１５Ｂの間に割り込ませる。締付具２０が仮保持位置に組み付けられた状態では、弧状接続部１１の最大内径は、バッテリーポストＰの最大外径よりも大きい。つまり、弧状接続部１１をバッテリーポストＰに対して上から外嵌したときに、弧状接続部１１がバッテリーポストＰに対して水平方向（バッテリーポストＰに対する弧状接続部１１の嵌合方向と交差する方向）へガタ付きを生じ得るようになっている。
【００２４】
締付具２０が仮保持位置に組み付けられた状態では、図２に示すように、第１弧状締付部１５Ａの内面が第２テーパ面２２Ｂに当接するとともに、第２弧状締付部１５Ｂの内面が第３テーパ面２２Ｃに当接することにより、締付具２０が、弧状締付部１５Ａ，１５Ｂ（ターミナル本体１０）に対して水平方向へのガタ付きを規制された状態に位置決めされるとともに、第２テーパ面２２Ｂ及び第３テーパ面２２Ｃの傾斜により、締付具２０が、弧状締付部１５Ａ，１５Ｂに対して下方への変位を規制される。また、第１弧状締付部１５Ａの下端縁（下端面）が第２係止面２３Ｂに対して上から当接（係止）することにより、締付具２０は弧状締付部１５Ａ，１５Ｂに対して上方への変位を規制された状態に位置決めされる。これにより、締付具２０が、仮保持位置において弧状締付部１５Ａ，１５Ｂ（ターミナル本体１０）に対して相対変位を規制された状態に保持される。
【００２５】
締付具２０を仮保持位置に組み付けた後は、弧状接続部１１をバッテリーポストＰに対して上から嵌合し、弧状接続部１１の下端をバッテリーＢの上面に当接させる。このとき、図２に示すように、締付具２０の下端面は、弧状接続部１１の下端よりも上方の位置へ退避しているので、締付具２０の下端部がバッテリーＢの上面と干渉することはない。したがって、弧状接続部１１は、上下方向において正規の接続位置（バッテリーＢの上面に載置される位置）に嵌合される。弧状接続部１１を正規の接続位置に嵌合すると、３つの抜止片１２の上端縁（延出端縁）がバッテリーポストＰの外周に対して下から係止又は食い込むので、弧状接続部１１はバッテリーポストＰに対して上方へ外れる方向への変位を規制される。
【００２６】
この後、操作面２１を指で押すことにより、締付具２０を仮保持位置よりも下方の締付け位置まで押し込む。この押し下げ動作により、締付具２０は弧状締付部１５Ａ，１５Ｂ，１５Ｃの間に深く割り込むことになる。締付具２０を締付け位置まで割り込ませた状態では、図１に示すように、第１弧状締付部１５Ａの内面が第１テーパ面２２Ａに当接し、第２弧状締付部１５Ｂの内面が第２テーパ面２２Ｂに当接し、第３弧状締付部１５Ｃの内面が第３テーパ面２２Ｃに当接することにより、締付具２０が、弧状締付部１５Ａ，１５Ｂ，１５Ｃ（ターミナル本体１０）に対して水平方向へのガタ付きを規制された状態に位置決めされる。また、第１〜第３テーパ面２２Ａ，２２Ｂ，２２Ｃの傾斜により、締付具２０が、弧状締付部１５Ａ，１５Ｂ，１５Ｃに対して下方への変位を規制される。さらに、第１弧状締付部１５Ａの下端縁（下端面）が第１係止面２３Ａに対して上から当接（係止）するとともに、第２弧状締付部１５Ｂの下端縁（下端面）が第２係止面２３Ｂに対して上から当接（係止）することにより、締付具２０は、弧状締付部１５Ａ，１５Ｂ，１５Ｃに対して上方への変位を規制された状態に位置決めされる。これにより、締付具２０が、締付け位置において弧状締付部１５Ａ，１５Ｂ，１５Ｃ（ターミナル本体１０）に対して相対変位を規制された状態に保持される。
【００２７】
締付具２０が締付け位置に押し込まれた状態では、第１及び第３弧状締付部１５Ａ，１５Ｃと第２弧状締付部１５Ｂとの間が、締付具２０の割り込みによって左右に押し広げられるため、弧状接続部１１が縮径するように変形させられ、バッテリーポストＰの外周に対して導通可能に接続される。
【００２８】
上述のように、本実施形態のバッテリーターミナルＴは、ターミナル本体１０に締付具２０を取り付けて構成され、ターミナル本体１０が、バッテリーポストＰに外嵌される弧状接続部１１と、弧状接続部１１の周方向における両端部から延出した３つの弧状締付部１５Ａ，１５Ｂ，１５Ｃとを備えた形態となっていて、締付具２０を３つの弧状締付部１５Ａ，１５Ｂ，１５Ｃの間に割り込ませて弧状締付部１５Ａ，１５Ｂ，１５Ｃを拡がるように変位させることで、弧状接続部１１が縮径変形するようになっている。そして、締付具２０には、弧状締付部１５Ａ，１５Ｂ，１５Ｃに対する割り込み方向後方（上方）に面し、締付具２０を割り込み方向へ押す操作を可能とした操作面２１が形成されている。
【００２９】
このように締付具２０に押し操作用の操作面２１を形成しているので、バッテリーポストＰに対するターミナル本体１０の嵌合方向と、弧状締付部１５Ａ，１５Ｂ，１５Ｃに対する締付具２０の割り込み方向とを概ね同じ方向（下向き）とすることが実現されている。このことは、ターミナル本体１０をバッテリーポストＰに嵌合するときに締付具２０がバッテリーＢの外面と干渉するのを回避できる、ということを意味し、締付具２０による弧状締付部１５Ａ，１５Ｂ，１５Ｃへの割り込み操作に先だって、ターミナル本体１０をバッテリーポストＰに対して正規の接続位置に嵌合しておくことができた。これにより、締付具２０の割り込み作業を単独で行うことができるので、作業性に優れている。
【００３０】
また、締付具２０の外周には、弧状締付部１５Ａ，１５Ｂに組み付けた締付具２０を仮保持位置に保持するための仮保持用係止部として第２テーパ面２２Ｂ、第３テーパ面２２Ｃ及び第２係止面２３Ｂが形成されており、締付具２０が仮保持位置に保持されている状態では、弧状接続部１１がバッテリーポストＰに対する着脱を許容されている。同じく締付具２０の外周には、弧状締付部１５Ａ，１５Ｂ，１５Ｃに組み付けた締付具２０を割り込み方向において仮保持位置よりも前方の締付け位置に保持するための締付け用係止部として第１〜第３テーパ面２２Ａ，２２Ｂ，２２Ｃと第１、第２係止面２３Ａ，２３Ｂが形成されており、締付具２０が締付け位置に保持されている状態では、弧状接続部１１がバッテリーポストＰの外周を締付け可能に縮径されるようになっている。この構成によれば、バッテリーターミナルＴをバッテリーポストＰに接続する際には、締付具２０を弧状締付部１５Ａ，１５Ｂの仮保持位置に保持した状態で、弧状接続部１１をバッテリーポストＰに嵌合し、その後、締付具２０を仮保持位置から締付け位置へ押し動かすことができる。このようにすれば、接続作業の間、締付具２０とターミナル本体１０を一体的に取り扱うことができるので、作業性がよい。
【００３１】
また、締付具２０の外周には、３つの弧状締付部１５Ａ，１５Ｂ，１５Ｃを同時に係止させることで締付具２０を弧状締付部１５Ａ，１５Ｂ，１５Ｃに対する組付け状態に保持する複数の係止部として、第１〜第３テーパ面２２Ａ，２２Ｂ，２２Ｃと、第１及び第２係止面２３Ａ，２３Ｂが形成され、３つの弧状締付部１５Ａ，１５Ｂ，１５Ｃは、その延出方向における全領域に亘って互いに独立した形態とされている。このように３つの弧状締付部１５Ａ，１５Ｂ，１５Ｃを全長に亘って互いに独立して変位する構成とすれば、いずれか１つの弧状締付部１５Ａ，１５Ｂ，１５Ｃが係止部（第１〜第３テーパ面２２Ａ，２２Ｂ，２２Ｃ、第１及び第２係止面２３Ａ，２３Ｂ）から外れる方向へ変位しても、他の弧状締付部１５Ａ，１５Ｂ，１５Ｃは係止部（第１〜第３テーパ面２２Ａ，２２Ｂ，２２Ｃ、第１及び第２係止面２３Ａ，２３Ｂ）に係止する状態を保つことができる。
【００３２】
また、弧状接続部１１には、締付具２０を弧状締付部１５Ａ，１５Ｂ，１５Ｃの間に割り込ませず、且つ弧状接続部１１をバッテリーポストＰに嵌合した状態において、バッテリーポストＰの外周に当接することで弧状接続部１１を抜止めするための抜止片１２が形成されている。この構成によれば、弧状接続部１１をバッテリーポストＰに嵌合したときに、抜止片１２がバッテリーポストＰの外周に係止して弧状接続部１１が抜止め状態に保持されるので、その後の締付具２０を割り込ませる作業を行い易い。
【００３３】
＜他の実施形態＞
本発明は上記記述及び図面によって説明した実施形態に限定されるものではなく、例えば次のような実施形態も本発明の技術的範囲に含まれる。
（１）上記実施形態では、締付具の外周に割り込み方向前方に向かって縮径した形態のテーパ面を形成したが、締付具にテーパ面を形成しない形態としてもよい。この場合、弧状締付部における締付具との摺接面を、割り込み方向に対して傾斜させておけば、締付具を弧状締付部の間に割り込ませる作業を円滑に行うことができる。
（２）上記実施形態では、弧状締付部の数を３つとしたが、弧状締付部の数は、２つ又は４つ以上であってもよい。
（３）上記実施形態では、複数の弧状締付部を、その延出方向における全領域に亘って互いに独立した形態としたが、複数の弧状締付部が、その延出方向における一部分において互いに連なった形態となっていてもよい。
（４）上記実施形態では、抜止片の数を３つとしたが、抜止片の数は、１つ、２つ、又は４つ以上のいずれであってもよい。
（５）上記実施形態では、弧状接続部に抜止片を形成して弧状接続部をバッテリーポストに対して抜止めするようにしたが、弧状接続部に抜止片を形成しない形態としてもよい。
【符号の説明】
【００３４】
Ｂ…バッテリー
Ｐ…バッテリーポスト
Ｔ…バッテリーターミナル
１０…ターミナル本体
１１…弧状接続部
１２…抜止片
１５Ａ…第１弧状締付部
１５Ｂ…第２弧状締付部
１５Ｃ…第３弧状締付部
２０…締付具
２１…操作面
２２Ａ…第１テーパ面（締付け用係止部、係止部）
２２Ｂ…第２テーパ面（締付け用係止部、仮保持用係止部、係止部）
２２Ｃ…第３テーパ面（締付け用係止部、仮保持用係止部、係止部）
２３Ａ…第１係止面（締付け用係止部、係止部）
２３Ｂ…第２係止面（締付け用係止部、仮保持用係止部、係止部）
【図１】
0005630263.tif 000002
【図２】
0005630263.tif 000003
【図３】
0005630263.tif 000004
【図４】
0005630263.tif 000005
【図５】
0005630263.tif 000006
【図６】
0005630263.tif 000007